(57)【要約】  冷却装置は、第１のファンおよび第２のファンを含む複数のファンと、前記第１のファンから送風される気体を、第１の領域へ向かう方向を含む複数の方向の気体に分割し、前記第２のファンから送風される気体を、前記第１の領域へ向かう方向を含む複数の方向の気体に分割する分割機構と、を備える。
2013088582.tif 000002
【特許請求の範囲】
【請求項１】
第１のファンおよび第２のファンを含む複数のファンと、
前記第１のファンから送風される気体を、第１の領域へ向かう方向を含む複数の方向の気体に分割し、前記第２のファンから送風される気体を、前記第１の領域へ向かう方向を含む複数の方向の気体に分割する分割機構と、
を備えることを特徴とする冷却装置。
【請求項２】
前記複数のファンのうち故障したファンへの気体の逆流を規制する規制板を更に備えることを特徴とする請求項１記載の冷却装置。
【請求項３】
前記分割機構は、前記複数のファンのそれぞれから送風される気体を、前記複数のファンのファン数と同数の領域で且つ前記複数のファンで共通する領域へ向かう方向の気体に分割することを特徴とする請求項１記載の冷却装置。
【請求項４】
前記分割機構は、前記第１のファンおよび第２のファンのそれぞれから送風される気体を、前記第１の領域へ向かう方向の気体と第２の領域へ向かう方向の気体とに分割することを特徴とする請求項３記載の冷却装置。
【請求項５】
前記複数のファンは、第３のファンを更に有し、
前記分割機構は、前記第１のファン、前記第２のファン、および前記第３のファンのそれぞれから送風される気体を、前記第１の領域へ向かう方向の気体と第２の領域へ向かう方向の気体と第３の領域へ向かう方向の気体とに分割することを特徴とする請求項３記載の冷却装置。
【請求項６】
前記複数のファンは、第３のファンを更に有し、
前記分割機構は、前記第１のファンから送風される気体を、前記第１の領域へ向かう方向の気体と第２の領域へ向かう方向の気体とに分割し、前記第２のファンから送風される気体を、前記第１の領域へ向かう方向の気体と第３の領域へ向かう方向の気体とに分割し、前記第３のファンから送風される気体を、前記第２の領域へ向かう方向の気体と前記第３の領域へ向かう方向の気体とに分割する、
ことを特徴とする請求項１記載の冷却装置。
【請求項７】
前記分割機構は、前記複数のファンのうち少なくとも２つのファンから送風されて分割した気体を合流させることを特徴とする請求項１記載の冷却装置。
【請求項８】
前記規制板は、互いに隣接する２つの前記ファンから送風され前記分割機構により分割された前記気体の２つの流路の間を回動軸として、該２つのファンのうち一方への前記気体の逆流を規制する位置と、他方への前記気体の逆流を規制する位置とに回動可能であることを特徴とする請求項２記載の冷却装置。
【請求項９】
前記分割機構は、複数の流路が形成されたダクトであることを特徴とする請求項１記載の冷却装置。
【請求項１０】
少なくとも第１の領域に配置された発熱部品と、
第１のファンおよび第２のファンを含む複数のファンと、
前記第１のファンから送風される気体を、前記第１の領域へ向かう方向を含む複数の方向の気体に分割し、前記第２のファンから送風される気体を、前記第１の領域へ向かう方向を含む複数の方向の気体に分割する分割機構と、
を備えることを特徴とする電子機器。
【発明の詳細な説明】
【技術分野】
【０００１】
本明細書で論じられる実施形態は、冷却装置と、冷却装置および発熱部品を備える電子機器とに関する。
【背景技術】
【０００２】
従来、電子機器等に配置される冷却装置において、２つのファンの冷却風を合流させることで、一方のファンが故障しても、もう一方のファンにより冷却性能の確保を行う機構がある。【０００３】
また、ファンが故障した際に故障したファンから冷却風が逆流して冷却性能が停止することを防止する逆流防止機構がある。
【先行技術文献】
【特許文献】
【０００４】
【特許文献１】特開２００５−１１３０４号公報
【特許文献２】特開平０２−１２８４９９号公報
【特許文献３】実開昭５７−０４４５９７号公報
【特許文献４】特開２００２−１７６２８１号公報
【発明の概要】
【発明が解決しようとする課題】
【０００５】
図２２Ａ〜図２２Ｃは、第１の参考技術に係る冷却装置５０を説明するための説明図である。【０００６】
図２２Ｄは、冷却装置５０におけるファンの状態と風量との関係を示す図表である。【０００７】
図２２Ａに示すように、冷却装置５０は、左右並列に配置された第１のファン５１および第２のファン５２と、空間５３とを備える。なお、第１のファン５１および第２のファン５２には、逆流を防止する図示しない規制板が設けられている。【０００８】
第１の領域５３ａは、空間５３を挟んで、第１のファン５１に対向する。第２の領域５３ｂは、空間５３を挟んで、第２のファン５２に対向する。なお、冷却対象は、例えば、図に平面的に示す各領域５３ａ，５３ｂよりも風下に位置するものとする。【０００９】
空間５３では、第１のファン５１から吸気された気体Ｇ５１は、主に、対向する第１の領域５３ａへ流れる。これにより、第１の領域５３ａの後方の冷却対象に風が吹き付けられる。【００１０】
また、空間５３では、第２のファン５２から吸気された気体Ｇ５２は、主に、対向する第２の領域５３ｂへ流れる。これにより、第２の領域５３ｂの後方の冷却対象に風が吹き付けられる。【００１１】
第１のファン５１および第２のファン５２のそれぞれが送風する気体の風量がＱ（単位時間当たり）であるとすると、図２２Ｄに示すように、通常時、すなわち、第１のファン５１および第２のファン５２の稼動時において、第１の領域５３ａおよび第２の領域５３ｂには風量Ｑの気体が流れる。【００１２】
図２２Ｂに示すように第１のファン５１が故障した場合、図示しない規制板により第１のファン５１からの逆流は防止されるが、図２２Ｄに示すように、第１の領域５３ａの風量はほぼ０となり、第２の領域５３ｂの風量はＱのままである。また、図２２Ｃに示すように第２のファン５２が故障した場合、図示しない規制板により第２のファン５２からの逆流は防止されるが、図２２Ｄに示すように第２の領域５３ｂの風量はほぼ０となり、第１の領域５３ａの風量はＱのままである。【００１３】
このように、一方のファンが故障すると、そのファンに対向する領域の後方の冷却対象に気体が送風されなくなるため、冷却性能が著しく低下する。【００１４】
図２３Ａ〜図２３Ｃは、第２の参考技術に係る冷却装置６０を説明するための説明図である。【００１５】
図２３Ｄは、冷却装置６０におけるファンの状態と風量との関係を示す図表である。【００１６】
図２３Ａに示すように、冷却装置６０は、左右並列に配置された第１のファン６１および第２のファン６２と、ダクト６３とを備える。なお、第６のファン６１および第２のファン６２には、逆流を防止する図示しない規制板が設けられている。【００１７】
ダクト６３には、単一の排気口６３ａが形成されている。【００１８】
ダクト６３では、第１のファン６１から吸気された気体Ｇ６１および第２のファン６２から吸気された気体Ｇ６２は、第１のファン６１と第２のファン６２との中間位置に対向する排気口６３ａから排気される。これにより、排気口６３ａから排気された気体は、排気口６３ａの後方の領域に吹き付けられる。【００１９】
第１のファン６１および第２のファン６２のそれぞれが送風する気体の風量がＱであるとすると、図２３Ｄに示すように、通常時、すなわち、第１のファン６１および第２のファン６２の稼動時において、排気口６３ａには風量２Ｑの気体が流れる。【００２０】
図２３Ｂに示すように第１のファン６１が故障した場合、図示しない規制板により第１のファン６１からの逆流は防止されるが、図２３Ｄに示すように、排気口６３ａの風量は２Ｑの半分のＱとなる。また、図２３Ｃに示すように第２のファン６２が故障した場合、図示しない規制板により第２のファン６２からの逆流は防止されるが、図２３Ｄに示すように排気口６３ａの風量は２Ｑの半分のＱとなる。【００２１】
また、冷却装置６０では、２つのファン６１，６２から送風される気体を合流させるために流路を絞ることから、排気口６３ａの幅Ｌ１２は、２つのファン６１，６２から気体を送風される部分の幅Ｌ１１よりも小さくなる。そのため、２つのファン６１，６２が通常運転している場合の冷却性能が、ダクト６３を設けない場合に比べて劣ることとなる。【００２２】
ところで、電子機器は、例えば、社会インフラを支えるシステムの構成要素として使用されるなど、長時間の安定稼動が求められることが多い。そのため、電子機器内の発熱を効率的に排出する冷却用ファンの故障が起きた際にも冷却性能の低下を防止し、システムが稼動継続可能であることが求められる。【００２３】
１つの側面では、本明細書で開示する冷却装置および電子機器は、ファン故障時の冷却ムラを抑えることを目的とする。
【課題を解決するための手段】
【００２４】
本明細書で開示する冷却装置は、複数のファンと、分割機構とを備える。前記複数のファンは、第１のファンおよび第２のファンを含む。前記分割機構は、前記第１のファンから送風される気体を、第１の領域へ向かう方向を含む複数の方向の気体に分割し、前記第２のファンから送風される気体を、前記第１の領域へ向かう方向を含む複数の方向の気体に分割する。【００２５】
本明細書で開示する電子機器は、発熱部品と、複数のファンと、分割機構とを備える。前記発熱部品は、少なくとも第１の領域に配置されている。前記複数のファンは、第１のファンおよび第２のファンを含む。前記分割機構は、前記第１のファンから送風される気体を、前記第１の領域へ向かう方向を含む複数の方向の気体に分割し、前記第２のファンから送風される気体を、前記第１の領域へ向かう方向を含む複数の方向の気体に分割する。
【発明の効果】
【００２６】
実施形態に係る冷却装置および電子機器によれば、ファン故障時の冷却ムラを抑えることができる。
【図面の簡単な説明】
【００２７】
【図１Ａ】冷却装置の分割機構を説明するための説明図（その１）である。
【図１Ｂ】冷却装置の分割機構を説明するための説明図（その２）である。
【図１Ｃ】冷却装置の分割機構を説明するための説明図（その３）である。
【図１Ｄ】冷却装置の分割機構を説明するための説明図（その４）である。
【図１Ｅ】冷却装置の分割機構を説明するための説明図（その５）である。
【図１Ｆ】冷却装置の分割機構を説明するための説明図（その６）である。
【図２】第１実施形態に係る電子機器を示す斜視図である。
【図３Ａ】第１実施形態に係る冷却装置を示す斜視図である。
【図３Ｂ】ファンを破線で表した、第１実施形態に係る冷却装置を示す斜視図である。
【図４】第１実施形態におけるダクトを示す斜視図である。
【図５Ａ】図４のＡ断面部分の内部構造を示す斜視図である。
【図５Ｂ】図４のＢ断面部分の内部構造を示す斜視図である。
【図６Ａ】図４のＡ断面部分の内部構造を示す平面図である。
【図６Ｂ】図４のＢ断面部分の内部構造を示す平面図である。
【図７Ａ】図４のＡ断面部分の気体の流れを示す説明図である。
【図７Ｂ】図４のＢ断面部分の気体の流れを示す説明図である。
【図７Ｃ】図７Ａおよび図７Ｂの合成図である。
【図８Ａ】図４のＡ断面部分の第１のファンが故障した場合の気体の流れを示す説明図である。
【図８Ｂ】図４のＢ断面部分の第１のファンが故障した場合の気体の流れを示す説明図である。
【図８Ｃ】図８Ａおよび図８Ｂの合成図である。
【図９Ａ】図４のＡ断面部分の第２のファンが故障した場合の気体の流れを示す説明図である。
【図９Ｂ】図４のＢ断面部分の第２のファンが故障した場合の気体の流れを示す説明図である。
【図９Ｃ】図９Ａおよび図９Ｂの合成図である。
【図１０】流体シミュレーションにおける第１実施形態に係る冷却装置の配置を示す斜視図である。
【図１１】流体シミュレーションにおける比較例に係る冷却ファンの配置を示す斜視図である。
【図１２】温度測定ポイントを説明するための第２の発熱部品を示す側面図である。
【図１３】流体シミュレーション結果を示す図表である。
【図１４】第２実施形態におけるダクトおよび規制板を示す斜視図である。
【図１５Ａ】第２実施形態におけるダクトの上段部分の内部構造を示す斜視図である。
【図１５Ｂ】第２実施形態におけるダクトの下段部分の内部構造を示す斜視図である。
【図１６Ａ】第２実施形態におけるダクトの上段部分の内部構造を示す平面図である。
【図１６Ｂ】第２実施形態におけるダクトの下段部分の内部構造を示す平面図である。
【図１７】第２実施形態におけるダクトの気体の流れを示す説明図である。
【図１８】第２実施形態におけるダクトおよび規制板を示す斜視図である。
【図１９Ａ】第３実施形態におけるダクトの上段部分の内部構造を示す斜視図である。
【図１９Ｂ】第３実施形態におけるダクトの中段部分の内部構造を示す斜視図である。
【図１９Ｃ】第３実施形態におけるダクトの下段部分の内部構造を示す斜視図である。
【図２０Ａ】第３実施形態におけるダクトの上段部分の内部構造を示す平面図である。
【図２０Ｂ】第３実施形態におけるダクトの中段部分の内部構造を示す平面図である。
【図２０Ｃ】第３実施形態におけるダクトの下段部分の内部構造を示す平面図である。
【図２１】第３実施形態におけるダクトの気体の流れを示す説明図である。
【図２２Ａ】第１の参考技術に係る冷却装置を説明するための説明図（その１）である。
【図２２Ｂ】第１の参考技術に係る冷却装置を説明するための説明図（その２）である。
【図２２Ｃ】第１の参考技術に係る冷却装置を説明するための説明図（その３）である。
【図２２Ｄ】第１の参考技術に係る冷却装置におけるファンの状態と風量との関係を示す図表である。
【図２３Ａ】第２の参考技術に係る冷却装置を説明するための説明図（その１）である。
【図２３Ｂ】第２の参考技術に係る冷却装置を説明するための説明図（その２）である。
【図２３Ｃ】第２の参考技術に係る冷却装置を説明するための説明図（その３）である。
【図２３Ｄ】第２の参考技術に係る冷却装置におけるファンの状態と風量との関係を示す図表である。
【発明を実施するための形態】
【００２８】
図１Ａ〜図１Ｆは、冷却装置１０の分割機構（ダクト１３）の概要を説明するための説明図である。
【００２９】
図１Ａに示すように、冷却装置１０は、複数のファンの一例である左右並列に配置された第１のファン１１および第２のファン１２と、分割機構の一例であるダクト１３とを備える。
【００３０】
図１Ｂに示すように、ダクト１３には、第１のファン１１から気体を送風される第１の吸気口１３ａ−１および第２の吸気口１３ａ−２と、第２のファン１２から気体を送風される第３の吸気口１３ｂ−１および第４の吸気口１３ｂ−２とが形成されている。
【００３１】
第１のファン１１から送風される気体は、上段側の第１の吸気口１３ａ−１および下段側の第２の吸気口１３ａ−２によって上下の気体に分割される。また、第２のファン１２から送風される気体は、上段側の第３の吸気口１３ｂ−１および下段側の第４の吸気口１３ｂ−２によって上下の気体に分割される。なお、１つのファンから送風される気体を分割するのは、後述する第３実施形態のように３つの気体としても、それ以上の気体としてもよい。また、１つのファンから送風される気体を分割するのは、例えばファンから上下に並列に配置されている場合などには上下の気体でなく左右の気体としてもよく、また、上下左右の例えば４つの気体に分割してもよい。
【００３２】
ダクト１３には、第１の吸気口１３ａ−１および第２の吸気口１３ａ−２に対向する側の第１の排気口１３ｃと、第３の吸気口１３ｂ−１および第４の吸気口１３ｂ−２に対向する側の第２の排気口１３ｄとが形成されている。なお、図１Ａに示すように、第１の排気口１３ｃと第２の排気口１３ｄとが形成されている部分の幅Ｌ２は、２つのファン１１，１２から気体を送風される部分（吸気口１３ａ−１，１３ａ−２，１３ｂ−１，１３ｂ−２）の幅Ｌ１と同一である。
【００３３】
ダクト１３は、第１の吸気口１３ａ−１から吸気された気体Ｇ１１−１および第３の吸気口１３ｂ−１から吸気された気体Ｇ１２−１を、第１の排気口１３ｃから排気されるようにガイドする。これにより、第１の排気口１３ｃから排気された気体は、第１の排気口１３ｃの後方の領域に吹き付けられる。
【００３４】
また、ダクト１３は、第２の吸気口１３ｂ−１から吸気された気体Ｇ１１−２および第４の吸気口１３ｂ−２から吸気された気体Ｇ１２−２を、第２の排気口１３ｄから排気されるようにガイドする。これにより、第２の排気口１３ｄから排気された気体は、第２の排気口１３ｄの後方の領域に吹き付けられる。
【００３５】
図１Ｃに示すように、第１のファン１１により送風される気体の風量Ｑ（単位時間当たり）の半分のＱ／２が第１の吸気口１３ａ−１から第１の排気口１３ｃに流れる（気体Ｇ１１−１）。また、残り半分のＱ／２が第２の吸気口１３ａ−２から第２の排気口１３ｄに流れる（気体Ｇ１１−２）。
【００３６】
また、第２のファン１２により送風される気体の風量Ｑの半分のＱ／２が第３の吸気口１３ｂ−１から第１の排気口１３ｃに流れる（気体Ｇ１１−２）。また、残り半分のＱ／２が第４の吸気口１３ｂ−２から第２の排気口１３ｄに流れる（気体Ｇ１２−２）。
【００３７】
そのため、図１Ｆに示すように、第１のファン１１および第２のファン１２の両方が稼動している通常時には、第１の排気口１３ｃおよび第２の排気口１３ｄにそれぞれ風量Ｑ（２×Ｑ／２）の気体が供給される。
【００３８】
図１Ｄおよび図１Ｆに示すように、第１のファン１１が故障した場合、第２のファン１２により送風される気体は、第３の吸気口１３ｂ−１から第１の排気口１３ｃへ（気体Ｇ１２−１）、第４の吸気口１３ｂ−２から第２の排気口１３ｄへ（気体Ｇ１２−２）、それぞれ半分（Ｑ／２）ずつ流れる。
【００３９】
図１Ｅおよび図１Ｆに示すように、第２のファン１２が故障した場合、第１のファン１１により送風される気体は、第１の吸気口１３ａ−１から第１の排気口１３ｃへ（気体Ｇ１１−１）、第２の吸気口１３ａ−２から第２の排気口１３ｄへ（気体Ｇ１１−２）、それぞれ半分（Ｑ／２）ずつ供給される。
【００４０】
このように、第１のファン１１または第２のファン１２が故障しても、気体が第１の排気口１３ｃおよび第２の排気口１３ｄ、ひいてはその後方の領域に偏りなく供給される。更には、上記のとおり、第１の排気口１３ｃと第２の排気口１３ｄとが形成されている部分の幅Ｌ２は、２つのファン１１，１２から気体を送風される部分の幅Ｌ１と同一であり、流路を絞ることで冷却性能の低下が生じるのを防ぐこともできる。
【００４１】
更には、一方のファンが故障した場合に他方のファンの回転数を例えば２倍に上げた場合には、ファン１１，１２が故障したときの冷却性能の損失を防ぐこともできる。
【００４２】
＜第１実施形態＞
図２は、第１実施形態に係る電子機器１を示す斜視図である。
【００４３】
図３Ａは、第１実施形態に係る冷却装置２０を示す斜視図であり、図３Ｂは、ファン２１，２２を破線で表した冷却装置２０を示す斜視図である。
【００４４】
図４は、ダクト２３を示す斜視図である。
【００４５】
図５Ａは、図４のＡ断面部分の内部構造を示す斜視図であり、図５Ｂは、図４のＢ断面部分の内部構造を示す斜視図である。
【００４６】
図６Ａは、図４のＡ断面部分の内部構造を示す平面図であり、図６Ｂは、図４のＢ断面部分の内部構造を示す平面図である。
【００４７】
図２に示すように、電子機器１は、４つの冷却装置２０と、筐体２と、排気部３と、基板４と、複数の発熱部品５，６とを備える。発熱部品５，６は、冷却装置２０により気体を送風される第１の領域Ｓ１、第２の領域Ｓ２など（少なくとも第１の領域の一例）に配置されている。一方の発熱部品５は、例えばメモリを含み、他方の発熱部品６は、例えばＣＰＵを含む。なお、冷却装置２０の数は、１つであってもよく、電子機器１に応じて適宜決定されればよい。
【００４８】
冷却装置２０は、第１の領域Ｓ１、第２の領域Ｓ２（図２の左端の冷却装置２０に対応する領域Ｓ１，Ｓ２のみ二点鎖線で図示）などを冷却する。
【００４９】
図３Ａに示すように、冷却装置２０は、複数のファンの一例である左右並列に配置された第１のファン２１および第２のファン２２と、分割機構の一例であるダクト２３とを備える。また、冷却装置２０は、図５Ａ〜図６Ｂに示す２つの規制板２４−１，２４−２を更に備える。
【００５０】
図３Ｂおよび図４に示すように、ダクト２３には、第１のファン２１から気体を送風される第１の吸気口２３ａ−１および第２の吸気口２３ａ−２と、第２のファン２２から気体を送風される第３の吸気口２３ｂ−１および第４の吸気口２３ｂ−２とが形成されている。
【００５１】
第１のファン２１から送風される気体は、上段側の第１の吸気口２３ａ−１および下段側の第２の吸気口２３ａ−２によって上下の気体に分割される。また、第２のファン２２から送風される気体は、上段側の第３の吸気口２３ｂ−１および下段側の第４の吸気口２３ｂ−２によって上下の気体に分割される。第１の吸気口２３ａ−１と下段側の第２の吸気口２３ａ−２との間、および、第３の吸気口２３ｂ−１と下段側の第４の吸気口２３ｂ−２との間には、例えば１ｍｍの厚さの平板が設けられている。
【００５２】
図５Ａおよび図６Ａに示すダクト２３の上段部分（図４のＡ断面）には、上記の第１の吸気口２３ａ−１および第３の吸気口２３ｂ−１が形成されている。また、ダクト２３の上段部分は、第１の吸気口２３ａ−１から吸気された気体を右側にガイドして、第３の吸気口２３ｂ−１から吸気された気体に合流させることで、第１の排気口２３ｃから排気する。詳しくは後述するが、第１の排気口２３ｃから排気された気体は、第１の排気口２３ｃの後方の領域である図２に示す第１の領域Ｓ１に吹き付けられる。
【００５３】
図５Ａおよび図６Ａに示すように、ダクト２３の上段部分に配置された第１の規制板２４−１は、互いに隣接する２つのファン２１，２２から送風されダクト２３により分割された気体の２つの流路の間を回動軸として回動する。上記の２つの流路は、第１の吸気口２３ａ−１から第１の排気口２３ｃに続く流路と、第３の吸気口２３ｂ−１から第１の排気口２３ｃに続く流路とである。また、第１の規制板２４−１は、２つのファン２１，２２のうち一方への気体の逆流を規制する位置と、他方への気体の逆流を規制する位置とに回動可能である。
【００５４】
図５Ｂおよび図６Ｂに示すダクト２３の下段部分（図４のＢ断面）には、上記の第２の吸気口２３ａ−２および第４の吸気口２３ｂ−２が形成されている。また、ダクト２３の下段部分は、第４の吸気口２３ｂ−２から吸気された気体を左側にガイドして、第２の吸気口２３ａ−２から吸気された気体に合流させることで、第２の排気口２３ｄから排気する。詳しくは後述するが、第２の排気口２３ｄから排気された気体は、第１の排気口２３ｄの後方の領域である図２に示す第２の領域Ｓ２に吹き付けられる。
【００５５】
図５Ｂおよび図６Ｂに示すように、ダクト２３の下段部分に配置された第２の規制板２４−２は、互いに隣接する２つのファン２１，２２から送風されダクト２３により分割された気体の２つの流路の間を回動軸として回動する。上記の２つの流路は、第２の吸気口２３ａ−２から第２の排気口２３ｄに続く流路と、第４の吸気口２３ｂ−２から第２の排気口２３ｄに続く流路とである。また、第２の規制板２４−２は、２つのファン２１，２２のうち一方への気体の逆流を規制する位置と、他方への気体の逆流を規制する位置とに回動可能である。
【００５６】
図７Ａは、図４のＡ断面部分の気体の流れを示す説明図である。図７Ｂは、図４のＢ断面部分の気体の流れを示す説明図である。図７Ｃは、図７Ａおよび図７Ｂの合成図である。
【００５７】
図７Ａに示すように、ダクト２３の上段部分は、第１の吸気口２３ａ−１から吸気された気体Ｇ２１−１および第３の吸気口２３ｂ−１から吸気された気体Ｇ２２−１を、第１の排気口２３ｃから排気されるようにガイドする。これにより、第１の排気口２３ｃから排気された気体は、第１の排気口２３ｃの後方の領域である二点鎖線で示す第１の領域Ｓ１に吹き付けられる。このとき、第１の規制板２４−１は、気体Ｇ２１−１，Ｇ２２−１の流れによって、これらの間の位置にある。
【００５８】
図７Ｂに示すように、ダクト２３の下段部分は、第２の吸気口２３ａ−２から吸気された気体Ｇ２２−１および第４の吸気口２３ｂ−２から吸気された気体Ｇ２２−２を、第２の排気口２３ｄから排気されるようにガイドする。これにより、第２の排気口２３ｄから排気された気体は、第２の排気口２３ｄの後方の領域である二点鎖線で示す第２の領域Ｓ２に吹き付けられる。このとき、第２の規制板２４−２は、気体Ｇ２１−２，２２−２の流れによって、これらの間の位置にある。
【００５９】
図７Ｃに示すように、ダクト２３は、上述の上段部分と下段部分とによって、第１のファン２１から送風される気体を第１の領域Ｓ１へ向かう方向の気体Ｇ２１−１と第２の領域Ｓ２へ向かう方向の気体Ｇ２１−２とに分割する。また、ダクト２３は、第２のファン２２から送風される気体を第１の領域Ｓ１へ向かう方向の気体Ｇ２２−１と第２の領域Ｓ２へ向かう方向の気体Ｇ２２−２とに分割する。なお、第１のファン２１から送風される気体が第１の領域Ｓ１へ向かう方向を含む複数の方向の気体に分割される場合の第１の領域Ｓ１と、第２のファン２２から送風される気体が第１の領域Ｓ１へ向かう方向を含む複数の方向の気体に分割される場合の第１の領域Ｓ１とは、厳密に一致する領域である必要はない。第２の領域Ｓ２についても同様である。
【００６０】
図８Ａ〜図８Ｃに示すように第１のファン２１が故障した場合でも、ダクト２３は、図８Ａおよび図８Ｃに示す上段部分において、第２のファン２２から送風される気体を第１の領域Ｓ１へ向かう方向（気体Ｇ２２−１）にガイドし、図８Ｂおよび図８Ｃに示す下段部分において第２のファン２２から送風される気体を第２の領域Ｓ２へ向かう方向（気体Ｇ２２−２）にガイドする。
【００６１】
なお、稼動中の第１のファン２１の吸気側の圧力が低圧状態になっていることから、第１のファン２１が故障すると気体の逆流が生じうる。しかし、図８Ａおよび図８Ｂに示すように、上段の第１の規制板２４−１および下段の第２の規制板２４−２は、気体の逆流によって、第１のファン２１からの気体の逆流を規制する位置に回動する。
【００６２】
図９Ａ〜図９Ｃに示すように第２のファン２２が故障した場合、ダクト２３は、図９Ａおよび図９Ｃに示す上段部分において、第１のファン２２から送風される気体を第１の領域Ｓ１へ向かう方向（気体Ｇ２１−１）にガイドする。また、ダクト２３は、図９Ｂおよび図９Ｃに示す下段部分において、第２のファン２２から送風される気体を第２の領域Ｓ２へ向かう方向（気体Ｇ２１−２）にガイドする。
【００６３】
なお、稼動中の第２のファン２２の吸気側の圧力が低圧状態になっていることから、上述の第１のファン２１の故障時と同様に、第２のファン２２が故障した場合も気体の逆流が生じうる。しかし、図９Ａおよび図９Ｂに示すように、上段の第１の規制板２４−１および下段の第２の規制板２４−２は、気体の逆流によって、第２のファン２２からの気体の逆流を規制する位置に回動する。
【００６４】
以下、ファン２１，２２の通常時と故障時との冷却性能を検証するための流体シミュレーションについて説明する。
【００６５】
図１０は、流体シミュレーションにおける本実施形態に係る冷却装置２０の配置を示す斜視図である。
【００６６】
冷却装置２０では、図７Ｃ、図８Ｃ、および図９Ｃに示すように、第１のファン２１および第２のファン２２のそれぞれが第１の領域Ｓ１および第２の領域Ｓ２の両方に気体を送風する。
【００６７】
図１１は、流体シミュレーションにおける比較例に係る冷却ファン２１，２２の配置を示す斜視図である。なお、比較例に係る冷却ファン２１，２２は、本実施形態に係る冷却装置２０からダクト２３および規制板２４−１，２４−２を取り外したものである。
【００６８】
比較例に係る第１の冷却ファン２１は、主に第２の領域Ｓ２に気体を送風する。比較例に係る第２の冷却ファン２２は、主に第１の領域Ｓ１に気体を送風する。
【００６９】
図１２は、温度測定ポイントＰを説明するための第２の発熱部品６を示す側面図である。
【００７０】
図１３は、流体シミュレーション結果を示す図表である。
【００７１】
図１２に示すように、第２の発熱部品６は、例えばＣＰＵである発熱体６ａと、ヒートシンク６ｂとを含む。温度測定ポイントＰは、発熱体６ａの中心部分である。なお、発熱体６ａは、平面形状４５ｍｍ×４５ｍｍ・高さ２．６ｍｍを一例とし、ヒートシンク６ｂは、平面形状９５ｍｍ×１００ｍｍ・高さ３２ｍｍを一例とする。
【００７２】
図１３に示すように、通常時、すなわち、第１のファン２１および第２のファン２２の稼動時において、発熱体６ａの温度は、本実施形態では６３．６℃であり、比較例では６４．３℃である。
【００７３】
また、第１のファン２１が故障した場合、発熱体６ａの温度は、本実施形態では７３．２℃であり、比較例では７９．７℃である。通常時からの温度上昇は、本実施形態では９．６℃であり、比較例では１５．４℃であり、本実施形態が比較例よりも温度上昇を５．８℃抑えることが可能とわかる。
【００７４】
これは、本実施形態では、図８Ｃに示すように第２のファン２２が第１の領域Ｓ１および第２の領域Ｓ２の両方に気体を送風するのに対し、比較例では、第２のファン２２が第１の領域Ｓ１のみに気体を送風するためである。
【００７５】
同様に、第２のファン２２が故障した場合、発熱体６ａの温度は、本実施形態では７３．６℃であり、比較例では７９．９℃である。通常時からの温度上昇は、本実施形態では１０．０℃であり、比較例では１５．６℃であり、本実施形態が比較例よりも温度上昇を５．６℃抑えることが可能とわかる。
【００７６】
これは、本実施形態では、図９Ｃに示すように第１のファン２１が第１の領域Ｓ１および第２の領域Ｓ２の両方に気体を送風するのに対し、比較例では、第１のファン２１が第２の領域Ｓ２のみに気体を送風するためである。
【００７７】
以上のとおり、比較例では、ファン２１，２２故障時に、通常時に比べて平均１５．６℃の温度上昇がみられ、冷却性能の低下が見られる。しかし、本実施形態の場合、温度上昇は平均９．８℃となっており、比較例に比べてファン２１，２２故障時の温度上昇を５．７℃低減し、冷却性能低下を防止していることがわかる。
【００７８】
更には、本実施形態に係る冷却装置２０は、図７Ｃ、図８Ｃ、および図９Ｃに示すように、第１のファン２１および第２のファン２２のそれぞれが第１の領域Ｓ１および第２の領域Ｓ２の両方に気体を送風するため、一方のファン２１，２２が故障しても、第１の領域Ｓ１と第２の領域Ｓ２とに冷却ムラを抑えることも可能である。
【００７９】
更にまた、本実施形態では、一方のファンが故障した場合に他方のファンの回転数を例えば２倍に上げる場合、第１の領域Ｓ１および第２の領域Ｓ２に送風される気体の量が減るのを防ぐことできるため、ファン故障時の温度上昇を防ぐことも可能である。
【００８０】
以上説明した本実施形態では、ダクト（分割機構の一例）２３は、第１のファン２１から送風される気体を、第１の領域Ｓ１へ向かう方向および第２の領域Ｓ２へ向かう方向（第１の領域へ向かう方向を含む複数の方向の一例）の気体に分割し、第２のファン２２から送風される気体を、第１の領域Ｓ１へ向かう方向および第２の領域Ｓ２へ向かう方向（第１の領域へ向かう方向を含む複数の方向の一例）の気体に分割する。
【００８１】
そのため、第１のファン２１または第２のファン２２が故障しても、少なくとも第１の領域Ｓ１の冷却を継続することができる。よって、本実施形態によれば、ファン故障時の冷却ムラを抑えることができる。
【００８２】
また、本実施形態では、第１の規制板２４−１および第２の規制板２４−２は、複数のファン２１，２２のうち故障したファンへの気体の逆流を規制する。そのため、ファン２１，２２が故障しても故障したファンからの気体の逆流を防ぐことで、ダクト２３が確実に気体を分割することができる。したがって、ファン故障時の冷却ムラをより確実に抑えることができる。
【００８３】
また、本実施形態では、ダクト２３は、複数のファン２１，２２のそれぞれから送風される気体を、複数のファンのファン数（本実施形態では２つ）と同数の領域で且つ複数のファン２１，２２で共通する領域Ｓ１，Ｓ２へ向かう方向の気体に分割する。そのため、一部のファンが故障しても、他のファンによりファン数と同数の領域に均等に気体を送ることができる。したがって、ファン故障時の冷却ムラをより確実に抑えることができる。
【００８４】
また、本実施形態では、複数のファンの一例が第１のファン２１および第２のファン２２であり、ダクト２３は、第１のファン２１および第２のファン２２のそれぞれから送風される気体を第１の領域Ｓ１へ向かう方向の気体Ｇ２１−１，Ｇ２２−１と第２の領域Ｓ２へ向かう方向の気体Ｇ２１−２，Ｇ２２−２とに分割する。そのため、一方のファンが故障しても、他方のファンにより２つの領域に均等に気体を送ることができる。また、ダクト２３が２つのファン２１，２２から送風される気体を２つの気体に分割するという簡素な構成で気体を２つの気体に分割することができる。したがって、ファン故障時の冷却ムラをより確実に抑えることができるとともに、冷却装置２０の構造の複雑化を防ぐことができる。
【００８５】
また、本実施形態では、ダクト２３は、第１のファン２１および第２のファン２２（少なくとも２つのファンの一例）から送風されて分割した気体を合流させる。そのため、複数のファンから送風される気体をダクト２３によって各領域に確実に送ることができる。したがって、ファン故障時の冷却ムラをより確実に抑えることができる。
【００８６】
また、本実施形態では、第１の規制板２４−１および第２の規制板２４−２は、互いに隣接する２つのファン２１，２２から送風されダクト２３により分割された気体の２つの流路の間を回動軸として、２つのファン２１，２２のうち一方への気体の逆流を規制する位置と、他方への気体の逆流を規制する位置とに回動可能である。そのため、簡素な構成で故障したファンからの気体の逆流を防ぐことができる。したがって、簡素な構成でファン故障時の冷却ムラをより確実に抑えることができる。
【００８７】
また、本実施形態では、分割機構の一例として、気体を分割するだけでなく気体の流路を形成するダクト２３が用いられている。そのため、簡素な構成で、分割した気体を各方向へ送ることができる。したがって、簡素な構成でファン故障時の冷却ムラをより確実に抑えることができる。
【００８８】
＜第２実施形態＞
本実施形態では、３つのファン３１，３２，３３から送風される気体をそれぞれ２つの気体に分割し、３つの領域のそれぞれには２つのファンから気体が送風される。また、本実施形態では、規制板３５は、ダクト３４の各吸気口に複数設けられている。これら以外の点は、上述の第１実施形態と同様であるため、詳細な説明は省略する。
【００８９】
図１４は、第２実施形態におけるダクト３４および規制板３５を示す斜視図である。
【００９０】
図１５Ａは、ダクト３４の上段部分の内部構造を示す斜視図であり、図１５Ｂは、ダクト３４の下段部分の内部構造を示す斜視図である。
【００９１】
図１６Ａは、ダクト３４の上段部分の内部構造を示す平面図であり、図１５Ｂは、ダクト３４の下段部分の内部構造を示す平面図である。
【００９２】
図１７は、ダクト３４の気体の流れを示す説明図である。
【００９３】
ダクト３４には、第１〜第６の吸気口３４ａ−１，３４ａ−２，３４ｂ−１，３４ｂ−２，３４ｃ−１，３４ｃ−２が形成されている。
【００９４】
図１６Ａおよび図１６Ｂに示すように、第１の吸気口３４ａ−１および第２の吸気口３４ａ−２は、第１のファン３１から気体を送風される。第３の吸気口３４ｂ−１および第４の吸気口３４ｂ−２は、第２のファン３２から気体を送風される。第５の吸気口３４ｃ−１および第６の吸気口３４ｃ−２は、第３のファン３３から気体を送風される。
【００９５】
第１のファン３１から送風される気体は、上段側の第１の吸気口３４ａ−１および下段側の第２の吸気口３４ａ−２によって上下２つの気体に分割される。第２のファン３２から送風される気体は、上段側の第３の吸気口３４ｂ−１および下段側の第４の吸気口３４ｂ−２によって上下２つの気体に分割される。第３のファン３３から送風される気体は、上段側の第５の吸気口３４ｃ−１および下段側の第６の吸気口３４ｃ−２によって上下２つの気体に分割される。
【００９６】
図１４に示す規制板３５は、ダクト３４の第１〜第６の吸気口３４ａ−１，３４ａ−２，３４ｂ−１，３４ｂ−２，３４ｃ−１，３４ｃ−２のそれぞれに例えば４つ設けられている（図１４では、第１の吸気口３４ａ−１および第２の吸気口３４ａ−２のみに規制板３５を図示）。規制板３５は、回動軸３５ａと、板材３５ｂとを含む。
【００９７】
各吸気口の４本の回動軸３５ａは、互いに平行に、吸気口の対向する２辺に架け渡されるように設けられている。４つの板材３５ｂは、回動軸３５ａを中心に、ダクト３４の上記吸気口を塞ぐ位置と、ファン３１，３２，３３から送風される気体によって、この気体の流れ方向と平行な開放位置とに回動可能である。
【００９８】
稼動中のファン３１，３２，３３の吸気側の圧力は低圧状態になっていることから、ファンが故障すると気体の逆流が生じうるが、規制板３５の板材３５ｂは、気体の逆流によって、ファンからの気体の逆流を規制する位置に回動する。
【００９９】
また、規制板３５の板材３５ｂは、ファンの稼動中には気体の流れによって開放し、気体の流れ方向と平行な位置に回動する。
【０１００】
図１４、図１５Ａ、および図１６Ａに示すように、ダクト３４の上段部分は、第１の吸気口３４ａ−１から吸気された気体を、第２の排気口３４ｅから排気されるように右側にガイドする。また、ダクト３４は、第３の吸気口３４ｂ−１から吸気された気体を右側にガイドして、第５の吸気口３４ｃ−１から吸気された気体に合流させることで、第４の排気口３４ｇから排気する。
【０１０１】
図１４、図１５Ｂ、および図１６Ｂに示すように、ダクト３４の下段部分は、第４の吸気口３４ｂ−２から吸気された気体を、第１の排気口３４ｄから排気されるように左側にガイドして、第２の吸気口３４ａ−２から吸気された気体に合流させることで、第１の排気口３４ｄから排気する。また、ダクト３４は、第６の吸気口３４ｃ−２から吸気された気体を、第３の排気口３４ｆから排気されるように左側にガイドする。なお、第３の排気口３４ｆは、第２の排気口３４ｅの下方に位置し、この第２の排気口３４ｅとともに第２の領域Ｓ１２へ向かう気体を排気する。
【０１０２】
図１７に示すように、ダクト３４は、上述の上段部分と下段部分とによって、図１６Ａおよび図１６Ｂに示す第１のファン３１から送風される気体を、第２の領域Ｓ１２へ向かう方向の気体Ｇ３１−１と第１の領域Ｓ１１へ向かう方向の気体Ｇ３１−２とに分割する。
【０１０３】
また、ダクト３４は、第２のファン３２から送風される気体を、第３の領域Ｓ１３へ向かう方向の気体Ｇ３２−１と第１の領域Ｓ１１へ向かう方向の気体Ｇ３１−２とに分割する。
【０１０４】
また、ダクト３４は、第３のファン３３から送風される気体を、第３の領域Ｓ１３へ向かう方向の気体Ｇ３３−１と第２の領域Ｓ１２へ向かう方向の気体Ｇ３３−２とに分割する。
【０１０５】
このように、各領域Ｓ１１，Ｓ１２，Ｓ１３に２つのファンから気体が送られるため、１つのファンが故障した場合でも、ダクト３４は、各領域に気体をガイドする。
【０１０６】
以上説明した本実施形態では、ダクト（分割機構の一例）３４は、第１のファン３１から送風される気体を、第２の領域Ｓ１２へ向かう方向および第１の領域Ｓ１１へ向かう方向（第１の領域へ向かう方向を含む複数の方向の一例）の気体に分割し、第２のファン３２から送風される気体を、第３の領域Ｓ１３へ向かう方向および第１の領域Ｓ１１へ向かう方向（第１の領域へ向かう方向を含む複数の方向の一例）の気体に分割する。
【０１０７】
そのため、第１の領域Ｓ１１については、第１のファン３１または第２のファン３２が故障しても冷却を継続することができる。よって、本実施形態によれば、ファン故障時の冷却ムラを抑えることができる。
【０１０８】
また、本実施形態では、ダクト３４は、第１のファン３１から送風される気体を第１の領域Ｓ１１へ向かう方向の気体と第２の領域Ｓ１２へ向かう方向の気体とに分割し、第２のファン３２から送風される気体を第１の領域Ｓ１１へ向かう方向の気体と第３の領域Ｓ１３へ向かう方向の気体とに分割し、第３のファン３３から送風される気体を第２の領域Ｓ１２へ向かう方向の気体と第３の領域Ｓ１３へ向かう方向の気体とに分割する。そのため、いずれのファンが故障しても、各領域Ｓ１１〜Ｓ１３に他のファンから気体を送風することができる。したがって、ファン故障時の冷却ムラをより確実に抑えることができる。
【０１０９】
＜第３実施形態＞
本実施形態では、３つのファン３１，３２，３３から送風される気体のそれぞれを３つの気体に分割し、３つの領域Ｓ２１〜Ｓ２３のそれぞれには３つのファンから気体が送風される。また、本実施形態では、規制板４５は、第２実施形態における規制板３５と同様である。これら以外の点は、上述の第１実施形態と同様であるため、詳細な説明は省略する。
【０１１０】
図１８は、第３実施形態におけるダクト４４および規制板４５を示す斜視図である。
【０１１１】
図１９Ａは、ダクト４４の上段部分の内部構造を示す斜視図であり、図１９Ｂは、ダクト４４の中段部分の内部構造を示す斜視図であり、図１９Ｃは、ダクト４４の下段部分の内部構造を示す斜視図である。
【０１１２】
図２０Ａは、ダクト４４の上段部分の内部構造を示す斜視図であり、図２０Ｂは、ダクト４４の中段部分の内部構造を示す斜視図であり、図２０Ｃは、ダクト４４の下段部分の内部構造を示す斜視図である。
【０１１３】
図２１は、ダクト４４の気体の流れを示す説明図である。
ダクト４４には、第１〜第９の吸気口４４ａ−１，４４ａ−２，４４ａ−３，４４ｂ−１，４４ｂ−２，４４ｂ−３，４４ｃ−１，４４ｃ−２，４４ｃ−３が形成されている。
【０１１４】
図２０Ａ〜図２０Ｃに示すように、第１の吸気口４４ａ−１、第２の吸気口４４ａ−２、および第３の吸気口４４ａ−３は、第１のファン４１から気体を送風される。第４の吸気口４４ｂ−１、第５の吸気口４４ｂ−２、および第６の吸気口４４ｂ−３は、第２のファン４２から気体を送風される。第７の吸気口４４ｃ−１、第８の吸気口４４ｃ−２、および第９の吸気口４４ｃ−３は、第３のファン４３から気体を送風される。
【０１１５】
第１のファン４１から送風される気体は、上段側の第１の吸気口４４ａ−１、中段側の第２の吸気口４４ａ−２、および下段側の第３の吸気口４４ａ−３によって上中下の気体に分割される。第２のファン４２から送風される気体は、上段側の第４の吸気口４４ｂ−１、中段側の第５の吸気口４４ｂ−２、および下段側の第６の吸気口４４ｂ−３によって上中下の気体に分割される。第３のファン４３から送風される気体は、上段側の第７の吸気口４４ｃ−１、中段側の第８の吸気口４４ｃ−２、および下段側の第９の吸気口４４ｃ−３によって上中下の気体に分割される。
【０１１６】
図１８に示す規制板４５は、ダクト４４の第１〜第９の吸気口のそれぞれに例えば４つ設けられている（図１８では、第１〜第３の吸気口のみに規制板４５を図示）。規制板４５は、回動軸４５ａと、板材４５ｂとを含む。
【０１１７】
各吸気口の４本の回動軸４５ａは、互いに平行に、吸気口の対向する２辺に架け渡されるように設けられている。４つの板材４５ｂは、回動軸４５ａを中心に、ダクト４４の上記吸気口を塞ぐ位置と、ファン４１，４２，４３から送風される気体によって、この気体の流れ方向と平行な開放位置とに回動可能である。
【０１１８】
稼動中のファン４１，４２，４３の吸気側の圧力は低圧状態になっていることから、ファンが故障すると気体の逆流が生じうるが、規制板４５の板材４５ｂは、気体の逆流によって、ファンからの気体の逆流を規制する位置に回動する。
【０１１９】
また、規制板４５の板材４５ｂは、ファンの稼動中には気体の流れによって開放し、気体の流れ方向と平行な位置に回動する。
【０１２０】
図１８、図１９Ａ、および図２０Ａに示すように、ダクト４４の上段部分は、第１の吸気口４４ａ−１および第４の吸気口４４ｂ−１から吸気された気体を、第３の排気口４４ｆから排気されるように右側にガイドして、第７の吸気口４４ｃ−１から吸気された気体に合流させることで、第３の排気口４４ｆから排気する。
【０１２１】
図１８、図１９Ｂ、および図２０Ｂに示すように、ダクト４４の中段部分は、第２の吸気口４４ａ−２および第８の吸気口４４ｃ−２から吸気された気体を、第２の排気口４４ｅから排気されるように中央側にガイドして、第５の吸気口４４ｂ−２から吸気された気体に合流させることで、第２の排気口４４ｅから排気する。
【０１２２】
図１８、図１９Ｃ、および図２０Ｃに示すように、ダクト４４の下段部分は、第６の吸気口４４ｂ−３および第９の吸気口４４ｃ−３から吸気された気体を、第１の排気口４４ｄから排気されるように左側にガイドして、第３の吸気口４４ａ−３から吸気された気体に合流させることで、第１の排気口４４ｄから排気する。
【０１２３】
図２１に示すように、ダクト４４は、上述の上段部分、中段部分、および下段部分によって、図２０Ａおよび図２０Ｂに示す第１のファン４１から送風される気体を、第３の領域Ｓ２３へ向かう方向の気体Ｇ４１−１と、第２の領域Ｓ２２へ向かう方向の気体Ｇ４１−２と、第１の領域Ｓ２１へ向かう方向の気体Ｇ４１−３とに分割する。
【０１２４】
同様に、ダクト４４は、第２のファン４２および第３のファンから送風される気体も、第３の領域Ｓ２３へ向かう方向の気体Ｇ４２−１，Ｇ４３−１と、第２の領域Ｓ２２へ向かう方向の気体Ｇ４２−２，Ｇ４３−２と、第１の領域Ｓ２１へ向かう方向の気体Ｇ４２−３，Ｇ４３−３とに分割する。
【０１２５】
このように、各領域Ｓ１１，Ｓ１２，Ｓ１３に３つのファンから気体が送られるため、いずれかのファンが故障した場合でも、ダクト３４は、各領域に２つのファンからの気体をガイドする。
【０１２６】
以上説明した本実施形態では、ダクト（分割機構の一例）４４は、第１のファン４１から送風される気体を、第１の領域Ｓ１１へ向かう方向等の気体に分割し、第２のファン３２から送風される気体を、第１の領域Ｓ１１へ向かう方向等の気体に分割する。
【０１２７】
そのため、第１の領域Ｓ２１については、第１のファン３１または第２のファン３２が故障しても冷却を継続することができる。よって、本実施形態によれば、ファン故障時の冷却ムラを抑えることができる。
【０１２８】
また、本実施形態では、ダクト４４は、複数のファン４１〜４３のそれぞれから送風される気体を、複数のファンのファン数（本実施形態では３つ）と同数の領域で且つ複数のファン４１〜４３で共通する領域Ｓ２１，Ｓ２２，Ｓ２３へ向かう方向の気体に分割する。そのため、一部のファンが故障しても、他のファンによりファン数と同数の領域に均等に気体を送ることができる。したがって、ファン故障時の冷却ムラをより確実に抑えることができる。
【０１２９】
また、本実施形態では、複数のファンの一例が第１〜第３のファン４１〜４３であり、ダクト４４は、第１〜第３のファン４１〜４３のそれぞれから送風される気体を第１の領域Ｓ２１へ向かう方向の気体と第２の領域Ｓ２２へ向かう方向と第３の領域Ｓ２３へ向かう方向の気体とに分割する。そのため、一部のファンが故障しても、他のファンにより３つの領域に均等に気体を送ることができる。したがって、ファン故障時の冷却ムラをより確実に抑えることができるとともに、冷却装置の構造の複雑化を防ぐことができる。
【符号の説明】
【０１３０】
１      電子機器
２      筐体
３      排気部
４      基板
５，６      発熱部品
６ａ      発熱体
６ｂ      ヒートシンク
１０      冷却装置
１１      第１のファン
１２      第２のファン
１３      ダクト
１３ａ−１      第１の吸気口
１３ａ−２      第２の吸気口
１３ｂ−１      第３の吸気口
１３ｂ−２      第４の吸気口
１３ｃ      第１の排気口
１３ｄ      第２の排気口
２０      冷却装置
２１      第１のファン
２２      第２のファン
２３      ダクト
２３ａ−１      第１の吸気口
２３ａ−２      第２の吸気口
２３ｂ−１      第３の吸気口
２３ｂ−２      第４の吸気口
２３ｃ      第１の排気口
２３ｄ      第２の排気口
２４−１      第１の規制板
２４−２      第２の規制板
３１      第１のファン
３２      第２のファン
３３      第３のファン
３４      ダクト
３４ａ−１      第１の吸気口
３４ａ−２      第２の吸気口
３４ｂ−１      第３の吸気口
３４ｂ−２      第４の吸気口
３４ｃ−１      第５の吸気口
３４ｃ−２      第６の吸気口
３４ｄ      第１の排気口
３４ｅ      第２の排気口
３４ｆ      第３の排気口
３４ｇ      第４の排気口
３５      第１の規制板
３５ａ      回動軸
３５ｂ      板材
４１      第１のファン
４２      第２のファン
４３      第３のファン
４４      ダクト
４４ａ−１      第１の吸気口
４４ａ−２      第２の吸気口
４４ａ−３      第３の吸気口
４４ｂ−１      第４の吸気口
４４ｂ−２      第５の吸気口
４４ｂ−３      第６の吸気口
４４ｃ−１      第７の吸気口
４４ｃ−２      第８の吸気口
４４ｃ−３      第９の吸気口
４４ｄ      第１の排気口
４４ｅ      第２の排気口
４４ｆ      第３の排気口
４５      第１の規制板
４５ａ      回動軸
４５ｂ      板材
【図１Ａ】
2013088582.tif 000003
【図１Ｂ】
2013088582.tif 000004
【図１Ｃ】
2013088582.tif 000005
【図１Ｄ】
2013088582.tif 000006
【図１Ｅ】
2013088582.tif 000007
【図１Ｆ】
2013088582.tif 000008
【図２】
2013088582.tif 000009
【図３Ａ】
2013088582.tif 000010
【図３Ｂ】
2013088582.tif 000011
【図４】
2013088582.tif 000012
【図５Ａ】
2013088582.tif 000013
【図５Ｂ】
2013088582.tif 000014
【図６Ａ】
2013088582.tif 000015
【図６Ｂ】
2013088582.tif 000016
【図７Ａ】
2013088582.tif 000017
【図７Ｂ】
2013088582.tif 000018
【図７Ｃ】
2013088582.tif 000019
【図８Ａ】
2013088582.tif 000020
【図８Ｂ】
2013088582.tif 000021
【図８Ｃ】
2013088582.tif 000022
【図９Ａ】
2013088582.tif 000023
【図９Ｂ】
2013088582.tif 000024
【図９Ｃ】
2013088582.tif 000025
【図１０】
2013088582.tif 000026
【図１１】
2013088582.tif 000027
【図１２】
2013088582.tif 000028
【図１３】
2013088582.tif 000029
【図１４】
2013088582.tif 000030
【図１５Ａ】
2013088582.tif 000031
【図１５Ｂ】
2013088582.tif 000032
【図１６Ａ】
2013088582.tif 000033
【図１６Ｂ】
2013088582.tif 000034
【図１７】
2013088582.tif 000035
【図１８】
2013088582.tif 000036
【図１９Ａ】
2013088582.tif 000037
【図１９Ｂ】
2013088582.tif 000038
【図１９Ｃ】
2013088582.tif 000039
【図２０Ａ】
2013088582.tif 000040
【図２０Ｂ】
2013088582.tif 000041
【図２０Ｃ】
2013088582.tif 000042
【図２１】
2013088582.tif 000043
【図２２Ａ】
2013088582.tif 000044
【図２２Ｂ】
2013088582.tif 000045
【図２２Ｃ】
2013088582.tif 000046
【図２２Ｄ】
2013088582.tif 000047
【図２３Ａ】
2013088582.tif 000048
【図２３Ｂ】
2013088582.tif 000049
【図２３Ｃ】
2013088582.tif 000050
【図２３Ｄ】
2013088582.tif 000051
【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
第１のファンおよび第２のファンを含む複数のファンと、
前記第１のファンから送風される気体を、第１の領域へ向かう方向を含む複数の方向の気体に分割し、前記第２のファンから送風される気体を、前記第１の領域へ向かう方向を含む複数の方向の気体に分割する分割機構と、
を備え、
前記分割機構は、前記複数のファンのそれぞれから送風される気体を、前記複数のファンのファン数と同数の領域で且つ前記複数のファンで共通する領域へ向かう方向の気体に分割する、
ことを特徴とする冷却装置。
【請求項２】
前記複数のファンのうち故障したファンへの気体の逆流を規制する規制板を更に備えることを特徴とする請求項１記載の冷却装置。
【請求項３】
前記分割機構は、前記第１のファンおよび第２のファンのそれぞれから送風される気体を、前記第１の領域へ向かう方向の気体と第２の領域へ向かう方向の気体とに分割することを特徴とする請求項１記載の冷却装置。
【請求項４】
前記分割機構は、前記複数のファンのうち少なくとも２つのファンから送風されて分割した気体を合流させることを特徴とする請求項１記載の冷却装置。
【請求項５】
前記規制板は、互いに隣接する２つの前記ファンから送風され前記分割機構により分割された前記気体の２つの流路の間を回動軸として、該２つのファンのうち一方への前記気体の逆流を規制する位置と、他方への前記気体の逆流を規制する位置とに回動可能であることを特徴とする請求項２記載の冷却装置。
【請求項６】
少なくとも第１の領域に配置された発熱部品と、
第１のファンおよび第２のファンを含む複数のファンと、
前記第１のファンから送風される気体を、前記第１の領域へ向かう方向を含む複数の方向の気体に分割し、前記第２のファンから送風される気体を、前記第１の領域へ向かう方向を含む複数の方向の気体に分割する分割機構と、
を備え、
前記分割機構は、前記複数のファンのそれぞれから送風される気体を、前記複数のファンのファン数と同数の領域で且つ前記複数のファンで共通する領域へ向かう方向の気体に分割する、
ことを特徴とする電子機器。
【国際調査報告】
2013088582.tif 000052
2013088582.tif 000053
2013088582.tif 000054
2013088582.tif 000055